(57)【特許請求の範囲】
【請求項１】
投入された印刷データの属性を解析する解析手段と、
解析された属性と、過去の印刷ジョブのプレビュー履歴と、プレビュー予測条件とに基づき、生成するプレビュー画像のページを予測する予測手段と、
前記予測手段による予測結果に応じて、プレビュー対象として指定されたページ印刷データから、予測されたページのプレビュー画像を生成する生成手段と、
プレビュー表示が要求された場合に、既に生成されているプレビュー画像を提供する提供手段と
を備えたことを特徴とする印刷管理サーバ。
【請求項２】
前記プレビュー予測条件は、ユーザにより編集可能な形式で保持される
ことを特徴とする請求項１に記載の印刷管理サーバ。
【請求項３】
前記プレビュー予測条件は、ジョブ名、コンピュータ名、または、ページ数についての条件を含む
ことを特徴とする請求項１または２に記載の印刷管理サーバ。
【請求項４】
投入された印刷データの属性を解析する解析工程と、
解析された属性と、過去の印刷ジョブのプレビュー履歴と、プレビュー予測条件とに基づき、生成するプレビュー画像のページを予測する予測工程と、
前記予測工程による予測結果に応じて、プレビュー対象として指定されたページ印刷データから、予測されたページのプレビュー画像を生成する生成工程と、
プレビュー表示が要求された場合に、既に生成されているプレビュー画像を提供する提供工程と
を備えたことを特徴とする印刷管理方法。
【請求項５】
コンピュータを、
投入された印刷データの属性を解析する解析手段、
解析された属性と、過去の印刷ジョブのプレビュー履歴と、プレビュー予測条件とに基づき、生成するプレビュー画像のページを予測する予測手段、
前記予測手段による予測結果に応じて、プレビュー対象として指定されたページ印刷データから、予測されたページのプレビュー画像を生成する生成手段、
プレビュー表示が要求された場合に、既に生成されているプレビュー画像を提供する提供手段
として機能させる印刷管理プログラム。
【発明の詳細な説明】
【技術分野】
【０００１】
本発明は、印刷管理サーバ、印刷管理方法および印刷管理プログラムに関する。
【背景技術】
【０００２】
印刷管理システムでは、印刷を行う対象である印刷データの紙への印刷結果について、プリンタで実際に印刷を行わずに確認したいと要望される場合が多い。
【０００３】
紙への印刷を行わずに印刷結果を確認するために、印刷管理システムのＧＵＩ（Graphical User Interface）上にて印刷データのプレビューイメージを表示するアプリケーションが存在する。
【０００４】
しかし、印刷データは印刷に最適化されており、プレビュー画像（プレビュー用画像）に変換することを考慮されていないため、ユーザからのプレビューの指示の度にプレビュー画像を生成すると、プレビューイメージの表示が完了するまでの時間が長くなる場合がある。
【０００５】
そこで、事前に印刷データから全てのページのプレビュー画像を生成しておく技術が既に知られている（例えば、特許文献１等を参照。）。
【発明の概要】
【発明が解決しようとする課題】
【０００６】
上述したような、事前に印刷データから全てのページのプレビュー画像を生成しておく方式では、大量ページの印刷データの場合には、プレビュー画像の変換に時間がかかる。そのため、印刷データ投入直後にプレビューを行うと、プレビューイメージの表示までに時間がかかるという問題があった。
【０００７】
本発明は上記の従来の問題点に鑑み提案されたものであり、その目的とするところは、プレビューを要求してからプレビューイメージが表示されるまでの時間を短縮することにある。
【課題を解決するための手段】
【０００８】
上記の課題を解決するため、本発明にあっては、投入された印刷データの属性を解析する解析手段と、解析された属性と、過去の印刷ジョブのプレビュー履歴と、プレビュー予測条件とに基づき、生成するプレビュー画像のページを予測する予測手段と、前記予測手段による予測結果に応じて、プレビュー対象として指定されたページ印刷データから、予測されたページのプレビュー画像を生成する生成手段と、プレビュー表示が要求された場合に、既に生成されているプレビュー画像を提供する提供手段とを備える。
【発明の効果】
【０００９】
本発明にあっては、プレビューを要求してからプレビューイメージが表示されるまでの時間を短縮することができる。
【図面の簡単な説明】
【００１０】
【図１】本発明の一実施形態にかかるシステムの構成例を示す図である。
【図２】印刷管理サーバのソフトウェア構成例を示す図である。
【図３】各種データの構造例を示す図である。
【図４】印刷管理サーバのハードウェア構成例を示す図である。
【図５】実施形態の処理例を示すシーケンス図である。
【図６】印刷データ蓄積時におけるプレビュー画像生成の処理例を示すフローチャートである。
【図７】プレビュー指示からプレビュー画像が表示されるまでの処理例を示すフローチャートである。
【図８】プレビューページを予測する処理例を示すフローチャートである。
【図９】プレビュー予測の具体的な処理例を示すフローチャートである。
【図１０】プレビュー予測において参照・生成されるデータの例を示す図（その１）である。
【図１１】プレビュー予測において参照・生成されるデータの例を示す図（その２）である。
【図１２】プレビュー予測において参照・生成されるデータの例を示す図（その３）である。
【図１３】プレビュー予測において参照・生成されるデータの例を示す図（その４）である。
【図１４】プレビュー予測において参照・生成されるデータの例を示す図（その５）である。
【発明を実施するための形態】
【００１１】
以下、本発明の好適な実施形態につき説明する。
【００１２】
＜構成＞
図１は本発明の一実施形態にかかるシステムの構成例を示す図である。図１において、ＬＡＮ（Local Area Network）等のネットワーク１には、複数の業務ホスト２と、印刷管理システム３を構成する印刷管理サーバ４および複数の印刷管理クライアント５と、複数のプリンタ６とが接続されている。
【００１３】
業務ホスト２は、業務アプリケーションが動作し、印刷データを出力する機能（印刷データ出力部）を有している。印刷管理サーバ４は、プリンタ６による印刷の実行の前に、業務ホスト２の出力する印刷データのプレビュー画像を生成して印刷管理クライアント５に提供する機能を有している。印刷管理クライアント５は、ユーザとの対話を行う手段としてのディスプレイ装置を有し、プレビュー画像の表示を行う機能（プレビュー表示部）を有している。プリンタ６は、業務ホスト２の出力する印刷データから印刷（紙への転写）を実行する機能を有している。
【００１４】
なお、図１は基幹系の印刷を行うシステムを例として示しているが、一般のオフィスにおける個別のユーザにより印刷を行うシステムにも適用できることはいうまでもない。この場合、ユーザの使用するＰＣ（Personal Computer）等の端末装置が、印刷データを出力する業務ホスト２とプレビュー画像の確認を行う印刷管理クライアント５とを兼ねることになる。
【００１５】
図２は印刷管理サーバ４のソフトウェア構成例を示す図である。図２において、印刷管理サーバ４は、サーバ管理部４１と印刷データ解析部４２とプレビュー管理部４３とプレビュー画像生成部４４とを備えている。
【００１６】
サーバ管理部４１は、印刷管理サーバ４の全体的な動作を管理する機能を有している。印刷データ解析部４２は、業務ホスト２から出力される印刷データを解析する機能を有している。プレビュー管理部４３は、印刷データのうちプレビュー画像を生成すべきページの予測を行い、プレビュー画像生成部４４に対してプレビュー画像生成の指令を行う機能を有している。プレビュー画像生成部４４は、プレビュー画像を生成する機能を有している。
【００１７】
また、印刷管理サーバ４には、処理において生成・参照・更新されるデータとして、印刷ジョブ解析データ４５と印刷ジョブデータ４６とプレビュー予測設定データ４７とプレビュー履歴データ４８とプレビュー画像データ４９とが保持されている。
【００１８】
印刷ジョブ解析データ４５は、業務ホスト２から出力される印刷データから印刷データ解析部４２により解析された結果のデータであり、印刷ジョブのデータおよび印刷ジョブに付随する属性が格納される。詳細については後述する。印刷ジョブデータ４６は、印刷データをファイル形式にした印刷データそのものである。プレビュー予測設定データ４７は、プレビュー画像を生成すべきページの予測に使用する条件等のデータであり、予め設定されるものである。詳細については後述する。プレビュー履歴データ４８は、過去のプレビュー表示された履歴のデータである。詳細については後述する。プレビュー画像データ４９は、生成したプレビュー画像そのものであり、印刷管理クライアント５上で表示することが可能な形式（ｊｐｅｇ等）の画像ファイルである。
【００１９】
図３は各種データの構造例を示す図である。図３（ａ）は印刷ジョブ解析データ４５の例を示しており、「ＩＤ」「ジョブ名」「コンピュータ名」「ユーザ名」「プリンタ名」「クラス」「ページ数」「印刷ジョブファイルパス」等の項目を有している。「ＩＤ」は、印刷ジョブを識別する記号である。「ジョブ名」は、印刷ジョブに付された名前である。「コンピュータ名」は、印刷ジョブを投入した装置（業務ホスト２、印刷管理クライアント５等）の名前である。「ユーザ名」は、印刷ジョブを投入したユーザの名前である。「プリンタ名」は、印刷ジョブの印刷を実行するように指定されたプリンタ（プリンタ６）の名前である。「クラス」は、印刷ジョブのカテゴリである。「ページ数」は、印刷ジョブのページ数である。「印刷ジョブファイルパス」は、印刷ジョブをファイル形式にして格納した場所である。
【００２０】
図３（ｂ）はプレビュー予測設定データ４７のデータ形式を示しており、セクションを示す「[SECTION]」と、１以上のキーおよびその値を示す「KEY=VALUE」とを一つの単位として、プレビュー予測設定データ４７にはこれらのセクションが１以上含まれる。
【００２１】
図３（ｃ）はプレビュー予測設定データ４７の具体例を示している。「[Common]」は共通のセクションであり、キー「PreviewPredictionNum=3」は予測のための条件の数が「３」であり、キー「ConversionPages=3」はプレビュー画像の合計のページ数が「３」であることを示している。
【００２２】
「[PreviewPrediction1]」は１番目の条件のセクションであり、キー「PredictionKey=ジョブ名」は条件を検索するキーが「ジョブ名」であることを示し、キー「Direction=前方一致」は検索を「前方一致」で行うことを示し、キー「ComparisonNum=5」は検索のために比較する文字数が「５」であることを示している。
【００２３】
「[PreviewPrediction2]」は２番目の条件のセクションであり、キー「PredictionKey=ユーザ名」は条件を検索するキーが「ユーザ名」であることを示し、キー「Direction=完全一致」は検索を「完全一致」で行うことを示している。
【００２４】
「[PreviewPrediction3]」は３番目の条件のセクションであり、キー「PredictionKey=ページ数」は条件を検索するキーが「ページ数」であることを示し、キー「Range=10%」は一致と判断する範囲が「10%」の許容範囲であることを示している。
【００２５】
プレビュー予測設定データ４７は、ユーザにより編集が可能であり、個々の運用に沿った予測条件を設定することで、予測の確率を高めるとともに、無駄なページのプレビュー画像生成（画像変換）を行う確率を少なくすることができる。
【００２６】
図３（ｄ）はプレビュー履歴データ４８の例を示しており、「ジョブ名」「コンピュータ名」「ユーザ名」「プリンタ名」「クラス」「ページ数」「プレビューページ」等の項目を有している。「プレビューページ」以外は、印刷ジョブ解析データ４５と同様である。「プレビューページ」は、プレビュー画像を生成したページである。
【００２７】
図４は印刷管理サーバ４のハードウェア構成例を示す図である。図４において、印刷管理サーバ４は、システムバス４０１に接続されたＣＰＵ（Central Processing Unit）４０２、ＲＯＭ（Read Only Memory）４０３、ＲＡＭ（Random Access Memory）４０４、ＮＶＲＡＭ（Non-Volatile Random Access Memory）４０５を備えている。また、印刷管理サーバ４は、Ｉ／Ｆ（Interface）４０６と、Ｉ／Ｆ４０６に接続された、Ｉ／Ｏ（Input/Output Device）４０７、ＨＤＤ（Hard Disk Drive）／フラッシュメモリ４０８、ＮＩＣ（Network Interface Card）４０９と、Ｉ／Ｏ４０７に接続されたモニタ４１０、キーボード４１１、マウス４１２等を備えている。Ｉ／Ｏ４０７にはＣＤ／ＤＶＤ（Compact Disk/Digital Versatile Disk）ドライブ等を接続することもできる。
【００２８】
図２で説明した印刷管理サーバ４の機能は、ＣＰＵ４０２において所定のプログラムが実行されることで実現される。プログラムは、記録媒体を経由して取得されるものでもよいし、ネットワークを経由して取得されるものでもよい。
【００２９】
業務ホスト２や印刷管理クライアント５のハードウェア構成も図４に示したものと同様である。
【００３０】
＜動作＞
図５は上記の実施形態の処理例を示すシーケンス図であり、具体的な印刷データが与えられてからプレビュー画像を表示するまでの処理の流れを示すものである。
【００３１】
図５において、業務ホスト２は、印刷データを生成し、ネットワーク１経由で印刷管理サーバ４の印刷データ解析部４２に印刷データを送信する（ステップＳ１）。
【００３２】
印刷データ解析部４２は、受信した印刷データを解析し、印刷ジョブ解析データ４５に解析結果をセットする（ステップＳ２）。次いで、印刷データ解析部４２は、印刷データから印刷ジョブデータ４６を生成する（ステップＳ３）。そして、印刷データ解析部４２は、サーバ管理部４１に解析の完了を通知する（ステップＳ４）。
【００３３】
サーバ管理部４１は、プレビュー管理部４３に解析が完了した印刷ジョブのプレビュー画像生成を要求する（ステップＳ５）。これを受け、プレビュー管理部４３は、プレビュー予測設定データ４７から予測条件を取得する（ステップＳ６）。次いで、プレビュー管理部４３は、取得した予測条件を元に印刷ジョブ解析データ４５から該当ジョブの予測に必要な属性情報を取得する（ステップＳ７）。次いで、プレビュー管理部４３は、プレビュー履歴データ４８から該当ジョブの予測条件と一致する属性のジョブで過去にプレビューしたページを取得し、過去にプレビューされたページの多さから、プレビューされるページを予測する（ステップＳ８）。そして、プレビュー管理部４３は、プレビュー画像生成部４４に対し予測したページのプレビュー画像生成を要求する（ステップＳ９）。
【００３４】
これを受け、プレビュー画像生成部４４は、印刷ジョブデータ４６から、プレビュー対象として指定されたページ印刷データを取得する（ステップＳ１０）。そして、プレビュー画像生成部４４は、プレビュー画像データ４９を生成する（ステップＳ１１）。
【００３５】
一方、ユーザは、印刷管理クライアント５が提供するＧＵＩ（Graphical User Interface）画面から、任意のジョブを選択し、任意のページのプレビュー画像表示を印刷管理クライアント５に要求する（ステップＳ１２）。
【００３６】
これを受け、印刷管理クライアント５は、印刷管理サーバ４のサーバ管理部４１に対し特定の印刷ジョブのページを指定してプレビュー画像の取得を要求する（ステップＳ１３）。サーバ管理部４１は、プレビュー管理部４３に対し特定の印刷ジョブのページを指定してプレビュー画像の取得を要求する（ステップＳ１４）。
【００３７】
これを受け、プレビュー管理部４３は、印刷ジョブ解析データ４５からプレビューするジョブの属性を取得する（ステップＳ１５）。次いで、プレビュー管理部４３は、プレビュー履歴データ４８にプレビューするジョブの属性とプレビューするページを格納する（ステップＳ１６）。そして、プレビュー管理部４３は、プレビュー画像生成部４４にプレビュー画像を要求する（ステップＳ１７）。
【００３８】
これを受け、プレビュー画像生成部４４は、生成済み（ステップＳ１１）のプレビュー画像データ４９を取得する（ステップＳ１８）。該当するページのプレビュー画像が存在しない場合、プレビュー画像生成部４４は新たに該当するページのプレビュー画像を生成する。プレビュー画像の予測の精度が高い場合、ほとんどは生成済のプレビュー画像を取得するだけで足りるため、平均的な処理時間を短縮することができる。
【００３９】
そして、プレビュー画像生成部４４は、取得または生成したプレビュー画像をプレビュー管理部４３に提供する（ステップＳ１９）。プレビュー管理部４３は、プレビュー画像生成部４４から取得したプレビュー画像をサーバ管理部４１に提供する（ステップＳ２０）。サーバ管理部４１は、プレビュー管理部４３から取得したプレビュー画像を印刷管理クライアント５に提供する（ステップＳ２１）。印刷管理クライアント５はサーバ管理部４１から取得したプレビュー画像を含めた印刷プレビュー画面をユーザに対して表示する（ステップＳ２２）。
【００４０】
以下、主要な処理について、より詳細に説明する。
【００４１】
図６は印刷データ蓄積時におけるプレビュー画像生成の処理例を示すフローチャートである。図６において、印刷管理サーバ４の印刷データ解析部４２は、業務ホスト２から投入された印刷データの属性を解析し、解析した結果を印刷ジョブ解析データ４５として保存する（ステップＳ１０１）。
【００４２】
次いで、印刷データ解析部４２は、印刷ジョブデータ４６に業務ホスト２から投入された印刷データをファイル形式にし、印刷ジョブデータ４６として保存する（ステップＳ１０２）。
【００４３】
次いで、プレビュー管理部４３は、事前にユーザにより設定されたプレビュー予測設定データ４７、印刷ジョブ解析データ４５、プレビュー履歴データ４８からプレビューされるページを予測する（ステップＳ１０３）。
【００４４】
プレビューされるページが予測された場合、プレビュー画像生成部４４により、予測されたページのプレビュー画像を生成する（ステップＳ１０４）。プレビューされるページが予測されなかった場合、プレビュー画像の生成は行わない。
【００４５】
図７はユーザによるプレビュー指示からプレビュー画像が表示されるまでの処理例を示すフローチャートである。図７において、ユーザは印刷管理クライアント５のＧＵＩ上でプレビューを行う印刷データを選択する（ステップＳ２０１）。
【００４６】
次いで、ユーザは印刷管理クライアント５のＧＵＩ上で選択した印刷データのプレビュー表示メニューからプレビューを行うページを選択する（ステップＳ２０２）。プレビューを行うページが選択されると、印刷管理クライアント５から印刷管理サーバ４のサーバ管理部４１に指定されたページのプレビュー画像が要求される。サーバ管理部４１は、プレビュー画像の要求をプレビュー管理部４３に伝える。
【００４７】
次いで、プレビュー管理部４３は、プレビュー要求があった印刷データの属性と要求ページをプレビュー履歴データ４８に蓄積する（ステップＳ２０３）。
【００４８】
次いで、プレビュー管理部４３は、プレビュー要求に一致する印刷データのページのプレビュー画像が存在するか確認し（ステップＳ２０４）、プレビュー画像が存在しない場合は、プレビュー画像生成部４４によりプレビュー画像を生成する（ステップＳ２０５）。そして、プレビュー管理部４３は、サーバ管理部４１を介して印刷管理クライアント５に生成したプレビュー画像を送信する（ステップＳ２０６）。これを受け、印刷管理クライアント５は、ＧＵＩ上にプレビュー画像を表示する。
【００４９】
プレビュー画像が存在する場合、プレビュー管理部４３は、プレビュー画像の生成は行わず、既に存在するプレビュー画像をサーバ管理部４１を介して印刷管理クライアント５に送信する（ステップＳ２０６）。これを受け、印刷管理クライアント５は、ＧＵＩ上にプレビュー画像を表示する。
【００５０】
図８はプレビューページを予測する処理例を示すフローチャートである。図８において、プレビュー管理部４３は、プレビュー予測設定データ４７から予測条件を取得する（ステップＳ３０１）。
【００５１】
その後、プレビュー管理部４３は、予測条件の数分、以下の処理を繰り返し行う（ステップＳ３０２〜Ｓ３０５）。すなわち、プレビュー管理部４３は、予測条件のキー指定されている属性に該当する印刷データの属性値を印刷ジョブ解析データ４５から取得し、予測条件と属性値からデータ抽出条件を生成する（ステップＳ３０３）。
【００５２】
次いで、プレビュー管理部４３は、プレビュー履歴データ４８または抽出（ステップＳ３０３）したデータからデータ抽出条件（完全一致、部分一致、範囲等）に該当するジョブを抽出する（ステップＳ３０４）。
【００５３】
設定された全ての条件について抽出が完了し、ループが終了した場合（ステップＳ３０５）、プレビュー管理部４３は、抽出したジョブのプレビューした回数の多い順にページをソートする（ステップＳ３０６）。
【００５４】
そして、プレビュー管理部４３は、予測条件に指定されている数分のページを、ソートしたページ順に抽出する（ステップＳ３０７）。
【００５５】
図９はプレビュー予測の具体的な処理例を示すフローチャートである。図９において、プレビュー管理部４３は、プレビュー予測設定データ４７からプレビュー予測条件を取得する（ステップＳ４０１）。図１０（ａ）は取得されるプレビュー予測条件の例を示しており、３つの条件＃１〜＃３と、それらの条件からどうするかの設定が含まれている。
【００５６】
次いで、図９に戻り、プレビュー管理部４３は、印刷データから、プレビュー予測条件の条件＃１で指定されている属性（＝ジョブ名）を抽出し、条件＃１の抽出条件を生成する（ステップＳ４０２）。すなわち、図１０（ｂ）の印刷ジョブ解析データのジョブ名が「ＡＡＡ０１０」、プレビュー予測条件の条件＃１「ジョブ名の前３桁が一致」から、抽出条件は図１０（ｃ）に示すように「ジョブ名の前３桁がＡＡＡ」になる。
【００５７】
次いで、図９に戻り、プレビュー管理部４３は、プレビュー履歴データ４８から抽出条件「ジョブ名の前３桁がＡＡＡ」に合致するデータを抽出する（ステップＳ４０３）。図１１（ａ）はプレビュー履歴データ４８の例を示しており、「ジョブ名の前３桁がＡＡＡ」に合致するデータとして、図１１（ｂ）に示すプレビュー履歴データが抽出される。
【００５８】
次いで、図９に戻り、プレビュー管理部４３は、印刷データから、プレビュー予測条件の条件＃２で指定されている属性（＝コンピュータ名）を抽出し、条件＃２の抽出条件を生成する（ステップＳ４０４）。すなわち、図１０（ｂ）の印刷ジョブ解析データのコンピュータ名が「ＰＣ００１」、プレビュー予測条件の条件＃２「コンピュータ名が完全一致」から、抽出条件は図１２（ａ）に示すように「コンピュータ名がＰＣ００１」になる。
【００５９】
次いで、図９に戻り、プレビュー管理部４３は、条件＃１で抽出したプレビュー履歴データから抽出条件「コンピュータ名がＰＣ００１」に合致するデータを抽出する（ステップＳ４０５）。図１１（ｂ）のプレビュー履歴データから「コンピュータ名がＰＣ００１」に合致するデータとして、図１２（ｂ）に示すプレビュー履歴データが抽出される。
【００６０】
次いで、図９に戻り、プレビュー管理部４３は、印刷データから、プレビュー予測条件の条件＃３で指定されている属性（＝ページ数）を抽出し、条件＃３の抽出条件を生成する（ステップＳ４０６）。すなわち、図１０（ｂ）の印刷ジョブ解析データのページ数が「１００ページ」、プレビュー予測条件の条件＃３「ページ数が５％の範囲内」から、抽出条件は図１３（ａ）に示すように「ページ数が９５〜１０５の間」になる。
【００６１】
次いで、図９に戻り、プレビュー管理部４３は、条件＃２で抽出したプレビュー履歴データから抽出条件「ページ数が９５〜１０５の間」に合致するデータを抽出する（ステップＳ４０７）。図１２（ｂ）のプレビュー履歴データから「ページ数が９５〜１０５の間」に合致するデータとして、図１３（ｂ）に示すプレビュー履歴データが抽出される。
【００６２】
次いで、図９に戻り、プレビュー管理部４３は、条件＃３で抽出したプレビュー履歴データからプレビューした回数の多い順にページ数をソートする（ステップＳ４０８）。図１４（ａ）はソートした結果を示している。
【００６３】
次いで、図９に戻り、プレビュー管理部４３は、プレビュー予測条件で指定された「条件に合致する上位３つのページを抽出」に従い、ソート結果の上位３つのページを抽出し、プレビュー予測ページとする（ステップＳ４０９）。図１４（ｂ）は、プレビュー予測ページとして抽出したページを示しており、「１ページ目」「５０ページ目」「１００ページ目」が特定されている。
【００６４】
＜総括＞
以上説明したように、本実施形態によれば、対象となる印刷データの属性とプレビュー履歴とプレビュー予測条件とに基づいてプレビューするページを予測し、プレビュー画像を予め生成しておくため、プレビューを要求してからプレビューイメージが表示されるまでの時間を短縮することができる。また、過去のプレビュー実績がプレビュー履歴として多く蓄積されることで、稼働が長くなればなるほど予測精度が向上していくことが期待される。
【００６５】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【００６６】
＜実施形態の用語と請求項の用語の対応＞
印刷データ解析部４２は「解析手段」の一例である。プレビュー管理部４３は「予測手段」の一例である。プレビュー画像生成部４４は「生成手段」の一例である。サーバ管理部４１およびプレビュー管理部４３は「提供手段」の一例である。
【符号の説明】
【００６７】
１        ネットワーク
２        業務ホスト
３        印刷管理システム
４        印刷管理サーバ
４１      サーバ管理部
４２      印刷データ解析部
４３      プレビュー管理部
４４      プレビュー画像生成部
４５      印刷ジョブ解析データ
４６      印刷ジョブデータ
４７      プレビュー予測設定データ
４８      プレビュー履歴データ
４９      プレビュー画像データ
５        印刷管理クライアント
６        プリンタ
【先行技術文献】
【特許文献】
【００６８】
【特許文献１】特開２０１４−０５９６９６号公報
【図１】
0006540370.tif 000002
【図２】
0006540370.tif 000003
【図３】
0006540370.tif 000004
【図４】
0006540370.tif 000005
【図５】
0006540370.tif 000006
【図６】
0006540370.tif 000007
【図７】
0006540370.tif 000008
【図８】
0006540370.tif 000009
【図９】
0006540370.tif 000010
【図１０】
0006540370.tif 000011
【図１１】
0006540370.tif 000012
【図１２】
0006540370.tif 000013
【図１３】
0006540370.tif 000014
【図１４】
0006540370.tif 000015